(57)【要約】【課題】射出成形機の設定入力手段において、作業者の作業ミスや工数の低減を行うことを可能とする射出設定入力手段を提供する。【解決手段】射出成形機の設定入力手段において、複数の設定項目を選択する複数設定項目選択手段と、複数設定項目に同一の設定状態を一括で入力可能な一括入力手段を備える。これにより、複数の任意の設定項目に同一の設定状態を一括で入力可能となり、操作者の作業ミスや工数の低減に寄与することが可能となる。【選択図】図１
2016141040.tif 000002
【特許請求の範囲】
【請求項１】
タッチパネルを用いて設定項目の設定入力を行う射出成形機の設定入力手段において、
複数の設定項目を選択する複数設定項目選択手段と、
該複数設定項目選択手段によって選択された前記複数の設定項目に同一の設定状態を一括で入力可能な一括入力手段と、
を有することを特徴とする射出成形機の設定入力手段。
【請求項２】
前記複数設定項目選択手段は、
前記複数の設定項目を含む範囲を指定することで前記複数の設定項目を選択する
ことを特徴とする請求項１記載の射出成形機の設定入力手段。
【請求項３】
設定項目選択ボタンをさらに備え、
前記複数設定項目選択手段は、
前記設定項目選択ボタンの操作とともに選択された設定項目を、前記複数の設定項目として選択する
ことを特徴とする請求項１記載の射出成形機の設定入力手段。
【請求項４】
前記同一の設定状態は、
同一の値、同一の条件、同一の入力可不可状態、のうち少なくともいずれか一つであることを特徴とする請求項１〜３のいずれかに記載の射出成形機の設定入力手段。
【請求項５】
前記同一の設定状態として、前記同一の値、前記同一の条件、前記同一の入力可不可状態のうち少なくともいずれか一つを選択する選択手段を有することを特徴とする請求項４記載の射出成形機の設定入力手段。
【発明の詳細な説明】
【技術分野】
【０００１】
本発明は射出成形機の設定入力手段に関し、特にタッチパネルを有する表示装置の設定入力手段に関する。
【背景技術】
【０００２】
射出成形機は、型閉じ、型締め、射出、保圧、計量、型開き、突き出し等の工程によってプラスチック等の樹脂から成形品を製造する機械である。成形品を成形するためには、これらの工程における、射出速度、射出圧力、型閉じや型締め等の時間設定、温度設定等が重要となる。
このような射出成形機における各設定項目は、変更しようとする項目を選択して、テンキー等の入力手段から入力することによって、設定することとなる。また、表示装置の画面にそれぞれの成形工程の挙動を示す圧力、速度、位置等のデータを表示し、表示装置上にタッチパネルを配置して、タッチパネルの操作によってそれぞれの成形条件の設定変更などを行うことがある。
【０００３】
それぞれの成形条件の設定は、個別に設定することが基本である。ただ、射出成形機は成形条件の設定項目が非常に多いため、個別に設定を行うと、成形条件の設定項目の数だけ作業員が入力して設定を行わなければならず、多くの手間がかかり、作業ミスが発生するおそれもある。そこで、複数の設定項目に一括で入力を行えるようにすることが望まれる。
【０００４】
特許文献１には、射出成形機における加熱筒温度の設定において、変更温度設定器及び演算値設定器にそれぞれ温度を設定して実行キーを押すことによって、変更温度設定器及び演算値設定器から算出された値を設定制御温度に一括して設定する技術が開示されている。
特許文献２には、タッチパネル上でのパラメータの設定において、選択操作が検出されたパラメータを選択パラメータとして複数登録する登録手段を備え、登録手段に登録された複数の選択パラメータの値を一度に設定する技術が開示されている。
【先行技術文献】
【特許文献】
【０００５】
【特許文献１】特開２００１−４７４８７号公報
【特許文献２】特開２０１０−６０９０５号公報
【発明の概要】
【発明が解決しようとする課題】
【０００６】
従来の、成形条件を個別に設定する技術においては、すでに説明したとおり成形条件の設定項目の数だけ作業員が入力して設定を行わなければならず、多くの手間がかかり、作業ミスが発生するおそれもある。
特許文献１に開示されている技術は、複数の温度設定器にまたがって、複数の項目を一括して設定する技術であるが、一括設定できる項目が同一カテゴリー内の特定の項目に固定されていて、任意に選択することができない。そのため、操作者の好みに合った項目を簡単に設定することができないことがあった。
【０００７】
特許文献２に開示されている技術は、パラメータの設定方法に関する技術ではあるが、射出成形機の表示装置とは前提となる技術が異なっていることに加え、一度に設定するパラメータを、事前に登録手段に登録しておく必要があり、一度に設定するパラメータを追加したり変更したりする場合には、再度登録手段に登録し直す必要があるため、パラメータの追加や変更に手間がかかって煩雑となるおそれがあった。
【０００８】
そこで本発明は、射出成形機の設定入力手段において、作業者の作業ミスや工数の低減を行うことを可能とする射出設定入力手段を提供することを目的とする。
【課題を解決するための手段】
【０００９】
本願の請求項１に係る発明では、タッチパネルを用いて設定項目の設定入力を行う射出成形機の設定入力手段において、複数の設定項目を選択する複数設定項目選択手段と、該複数設定項目選択手段によって選択された前記複数の設定項目に同一の設定状態を一括で入力可能な一括入力手段と、を有することを特徴とする射出成形機の設定入力手段が提供される。
請求項１に係る発明では、複数の任意の設定項目に同一の設定状態を一括で入力可能とすることによって、操作者の作業ミスや工数の低減に寄与することが可能となる。
【００１０】
本願の請求項２に係る発明では、前記複数設定項目選択手段は、前記複数の設定項目を含む範囲を指定することで前記複数の設定項目を選択することを特徴とする請求項１記載の射出成形機の設定入力手段が提供される。
請求項２に係る発明では、設定したい複数の設定項目を含む範囲を指定することで、複数の選択項目を選択することが可能となり、簡単な操作で複数の設定項目の選択を行うことが可能となる。
【００１１】
本願の請求項３に係る発明では、設定項目選択ボタンをさらに備え、前記複数設定項目選択手段は、前記設定項目選択ボタンの操作とともに選択された設定項目を、前記複数の設定項目として選択することを特徴とする請求項１記載の射出成形機の設定入力手段が提供される。
請求項３に係る発明では、設定項目選択ボタンを備えて、設定項目選択ボタンの操作とともに選択された設定項目を複数の設定項目として選択することによって、互いに離れた選択項目であって、範囲の選択のみでは選択しにくい選択項目どうしを、複数の選択項目として選択することが可能となり、簡単な操作で複数の設定項目の選択を行うことが可能となる。
【００１２】
本願の請求項４に係る発明では、前記同一の設定状態は、同一の値、同一の条件、同一の入力可不可状態、のうち少なくともいずれか一つであることを特徴とする請求項１〜３のいずれかに記載の射出成形機の設定入力手段が提供される。
本願の請求項５に係る発明では、前記同一の設定状態として、前記同一の値、前記同一の条件、前記同一の入力可不可状態のうち少なくともいずれか一つを選択する選択手段を有することを特徴とする請求項４記載の射出成形機の設定入力手段が提供される。
【発明の効果】
【００１３】
本発明により、射出成形機の設定入力手段において、作業者の作業ミスや工数の低減を行うことが可能となる。
【図面の簡単な説明】
【００１４】
【図１】本発明の実施形態の設定項目の選択方法を示した図である。
【図２】本発明の実施形態の設定項目の選択方法を示した図である。
【図３】本発明の別の実施形態の設定項目の選択方法を示した図である。
【図４】本発明の実施形態の設定項目の選択方法を示した図である。
【図５】本発明の実施形態の数値の設定方法を示した図である。
【図６】本発明の実施形態の条件の設定方法を示した図である。
【図７】本発明の実施形態の入力の可不可の設定方法を示した図である。
【発明を実施するための形態】
【００１５】
以下、本発明の実施形態について図面に基づいて説明する。図１は、本実施形態の設定項目の選択方法を説明するための図である。１は表示装置であり、後述する設定項目等が表示されている。表示装置１を覆うようにタッチパネル２が設けられており、このタッチパネル２上を操作者の指やペン等で選択することによって操作を行う。タッチパネル２における操作者の指やペン等による検知や動作の機構については、周知のタッチパネルと同様であるため説明を省略する。
【００１６】
表示装置１には、射出速度として１番から５番までの射出速度、射出切換位置として１番から５番までのそれぞれの間の切換位置、射出圧力アラーム１〜３のアラームの状態が、それぞれ設定項目１０として表示されており、現在は、射出速度が１番から５番までいずれも１００、射出切換位置がいずれも１５０、射出圧力アラーム１〜３のアラームの状態がいずれもＯＦＦに設定されている。
【００１７】
ここで、射出速度の２番、３番、４番の３つを複数選択して、一括して速度の設定を行う場合、操作者は、まず範囲の形状として矩形を指定しておき、次にタッチパネル２上で、選択開始位置１４で指を接触させて、接触状態を維持したまま選択終了位置１６まで指を移動させて選択終了位置１６においてタッチパネル２から指を離間させる。これにより、選択開始位置１４と選択終了位置１６とを対角の頂点とするような矩形が選択範囲１２として設定され、その選択範囲１２に含まれている射出速度の２番、３番、４番の３つが選択設定項目１０ａとして選択され、選択設定項目１０ａとされたことが認識できるように、斜線が引かれたり、色が変更されるなど表示態様が変更される。選択されなかった残りの設定項目１０については、非選択設定項目１０ｂとして表示の態様はそのままとされている。
【００１８】
複数の設定項目１０を選択する操作の方法としては、ここで行っている選択開始位置１４で指を接触させて、接触状態を維持したまま選択終了位置１６まで指を移動させて選択終了位置１６においてタッチパネル２から指を離間させる方法に限ったものではなく、例えば選択開始位置１４でいったんタッチパネル２に指を接触させて離間させ、次に選択終了位置１６において再度タッチパネル２に指を接触させて離間させるといった操作方法でもよい。また、範囲の形状として矩形を選択した場合で説明したが、範囲の形状としては、円形など他の形状であってもよい。
【００１９】
図２は、射出速度の１番から５番までを複数の設定項目として選択した例を示している。図１の場合と同様に、射出速度の１番から５番までが含まれるように範囲を選択するこことによって、射出速度の１番から５番までの項目が選択設定項目１０ａとして選択され、表示態様が変更されている。
【００２０】
図１及び図２に示された方法は、隣接していてひとかたまりとすることのできる選択項目しか複数の選択項目とすることができない。そこで、図３に示されている方法を用いると、互いに離間するように配置されている選択項目を複数の選択項目として選択することが可能となる。３は設定項目選択ボタンであり、互いに離間するように配置されている選択項目を選択するときに押すボタンである。設定項目選択ボタン３を押したままの状態で、設定項目１０を順次押して選択することによって、互いに離間するように配置されている選択項目を複数の選択項目として選択することができる。図３の例では、射出速度の１番、３番、５番、射出切換位置の１番と２番の間、４番と５番の間が選択されて、選択設定項目１０ａとして表示の態様が変更されている。なお、設定項目選択ボタン３を押したままの状態で設定項目１０を順次押して選択することに代えて、いったん設定項目選択ボタン３を押して設定項目選択状態を有効にした後、設定項目１０を順次押して選択し、その後再度設定項目選択ボタンを押して設定項目選択状態を解除するようにすることもできる。
【００２１】
次に、このように複数の設定項目１０が選択設定項目１０ａとして選択された後の値や条件の設定方法について説明する。図１、図２の例で、選択終了位置１６においてタッチパネル２から指を離間させたり、図３の例で設定項目選択ボタン３を押した状態を解除したり、再度設定項目選択ボタン３を押すなどして、設定項目選択状態を解除すると、図４に示されているように、設定項目選択用ウインドウ２０が表示される。設定項目選択用ウインドウ２０には、項目として、値、条件の同一設定ボタン２２、入力可不可状態の同一設定ボタン２４、キャンセルボタン２６が表示されている。値、条件の同一設定ボタン２２は、選択された複数の選択設定項目１０ａの値や条件を同一の値や条件に設定する場合に押すボタンであり、入力可不可状態の同一設定ボタン２４は、選択された複数の選択設定項目１０ａの値や条件の入力の可不可状態を設定する場合に押すボタンである。また、キャンセルボタン２６を押すと。キャンセルされて設定項目選択用ウインドウ２０が消去され、選択設定項目１０ａについても、選択状態が解除されてもとの表示態様に戻る。
【００２２】
図４の状態において、値、条件の同一設定ボタン２２が押された場合、選択設定項目１０ａとして、射出速度や射出切換位置などの数値を設定する設定項目１０が設定されている場合には、図５に示されているように、数値設定用ウインドウ３０がウインドウ状態で表示される。数値設定用ウインドウ３０には、項目としてテンキー３２、表示領域３４、入力決定ボタン３６、キャンセルボタン３８が表示されている。テンキー３２は数値が表示されており、数値の入力の際に押圧する。テンキー３２において入力された数値は、表示領域３４において表示される。入力が完了した後は、入力決定ボタン３６を押すことによって値が確定する。また、キャンセルボタン３８を押すと。キャンセルされて数値設定用ウインドウ３０が消去され、図４の表示状態に戻る。
【００２３】
数値設定用ウインドウ３０が表示されている状態で、テンキー３２を用いて設定する値を入力し、入力決定ボタン３６が押されると、複数の選択設定項目１０ａの値が設定された値に一括して変更される。
【００２４】
図４の状態において、値、条件の同一設定ボタン２２が押された場合、選択設定項目１０ａとして、射出圧力アラーム１〜３などの条件を設定する設定項目１０が設定されている場合には、図６に示されているように、条件設定用ウインドウ４０が表示される。条件設定用ウインドウ４０には、項目としてＯＮボタン４２、ＯＦＦボタン４４、キャンセルボタン４６が表示されている。ＯＮボタン４２およびＯＦＦボタン４４はＯＮまたはＯＦＦを設定するために用いられる。また、キャンセルボタン４６を押すと。キャンセルされて条件設定用ウインドウ４０が消去され、図４の表示状態に戻る。
【００２５】
条件設定用ウインドウ４０が表示されている状態で、ＯＮボタン４２またはＯＦＦボタン４４を用いてＯＮまたはＯＦＦを入力すると、複数の選択設定項目１０ａの値が設定されたＯＮまたはＯＦＦに一括して変更される。
なお、図示されていないが、選択設定項目１０ａとして、射出速度、射出切換位置などの数値を設定する設定項目１０と、射出圧力アラームのように条件を設定する設定項目１０の両者が選択されている場合には、数値設定用ウインドウ３０と条件設定用ウインドウ４０の両者が表示されて、それぞれ数値と条件と一括で設定する。
【００２６】
図４の状態において、入力可不可状態の同一設定ボタン２４が押された場合は、図７に示されているように、入力可不可設定用ウインドウ５０が表示される。入力可不可設定用ウインドウ５０には、項目として入力可ボタン５２、入力不可ボタン５４、キャンセルボタン５６が表示されている。入力可ボタン５２および入力不可ボタン５４は入力の可不可を設定するために用いられる。また、キャンセルボタン５６を押すと。キャンセルされて入力可不可設定用ウインドウ５０が消去され、図４の表示状態に戻る。
【００２７】
入力可不可設定用ウインドウ５０が表示されている状態で、入力可ボタン５２または入力不可ボタン５４を用いて入力可または入力不可を入力すると、複数の選択設定項目１０ａが入力可または入力不可状態に一括して変更される。入力不可状態に設定されると、その後入力不可状態を解除されるまで、値や条件の変更を行うことができない状態となる。
【符号の説明】
【００２８】
１    表示装置
２    タッチパネル
３    設定項目選択ボタン
１０  設定項目
１０ａ  選択設定項目
１０ｂ  非選択設定項目
１２  選択範囲
１４  選択開始位置
１６  選択終了位置
２０  設定項目選択用ウインドウ
３０  数値設定用ウインドウ
４０  条件設定用ウインドウ
５０  入力可不可設定用ウインドウ
【図１】
2016141040.tif 000003
【図２】
2016141040.tif 000004
【図３】
2016141040.tif 000005
【図４】
2016141040.tif 000006
【図５】
2016141040.tif 000007
【図６】
2016141040.tif 000008
【図７】
2016141040.tif 000009